(57)【特許請求の範囲】
【請求項１】
下階外壁上端部に埋設定着された定着板と、該定着板に溶接固着されて上下階の外壁に跨がって配設された接続プレートと、該接続プレートを貫通して固定されたブラケットとから構成された外壁を建物躯体に連結固定するためのファスナーにおいて、
前記ブラケットは、固定部と拡底部とアーム部とから構成され、前記接続プレートを貫通する前記固定部が前記拡底部とともに前記接続プレートに溶接固着され、先端部に穿設された螺子孔に螺着された支持ボルトが、建物躯体に溶接固着された調整溝型鋼の中央部に穿設されたルーズホール内に挿入された後、取付座板が前記調整溝型鋼に溶接固着されて、その下端を建物躯体の鉄骨梁の上面に当接支持されるとともに、前記接続プレートの上半部には、上階外壁内に定着された連結ボルトが遊挿されることを特徴とする外壁を建物躯体側に連結固定するためのファスナー。
【発明の詳細な説明】
【０００１】
【発明の属する技術分野】
本発明は、ファスナーに係り、特に、大型プレキャストコンクリートカーテンウォールに対して、取付けが容易で高耐力を有するファスナーに関する。
【０００２】
【従来の技術】
従来より、プレキャストコンクリートカーテンウォール（以下、「ＰＣ外壁」という。）等の外壁を躯体構造物の床や梁に連結固定するためのファスナーとしては各種のものがあるが、建物の地震時の挙動に対して追随する２つの方式、ロッキング方式とスウェー方式に対応できるファスナーとして、例えば、図５及び図６に示すものが知られている。
即ち、上記のファスナーでは、図示のように、鉄骨梁Ｒに植立されただぼピンｈと下部カーテンウォール版Ｑに埋設定着され、先端突出部に前記だぼピンｈに遊嵌するリング部ｋを備えた水平の鋼製ブラケットａと、下半部に下部カーテンウォール版Ｑに対する定着用アイボルトｌ及び鋼製ブラケットの挿入孔ｍが配設され、上半部には上部カーテンウォールＰに埋設定着された水平ボルトｃが遊嵌された溝部ｎを有する接続プレートｂと、同接続プレート及び前記水平ボルトに螺装された締付ナットｔの間に介装され、前記水平ボルトが遊嵌される溝孔ｑを有する調整座金ｄより構成されていた。
【０００３】
【本発明が解決しようとする課題】
しかし、上記従来のファスナーにあっては、次のような問題点があった。
（イ）支持強度が小さく、標準重量が約４〜５ｔである大型ＰＣ外壁には対応不可能である。また、リング部に局所的に過大な荷重が作用し易く、大きい支持強度を得ることが極めて困難である。
（ロ）リング部と接続プレートとの固定度が低いため、大きな荷重を接続プレートに有効に伝達できない。また、アイボルトは定着面積が小さく、その定着力のねばりを期待できない。
（ハ）ファスナー本体とだぼピンが螺着されていないため、建て方作業において、だぼピンが脱落する恐れがある。
【０００４】
本発明は上記したような従来の問題を解決するためになされたもので、その目的は、高耐力を確保でき、しかも取付けを容易かつ確実に行えるファスナーを提供することにある。
【０００５】
【課題を解決するための手段】
上記のような目的を達成するために、本発明は、外壁を建物躯体側に連結固定するためのファスナーであって、上下階の外壁に跨がって接続プレートを配設し、接続プレートの上半部には、上階外壁内に定着した連結ボルトを遊挿し、下半部の外壁側には、定着板を固定し、前記定着板をかんざし筋とひげ筋と連結すると共に、下階外壁に埋設定着する一方、下半部の躯体側には、先端部に螺子孔を穿設して一体に成型したブラケットを固定し、前記螺子孔に下階外壁の荷重を受ける支持ボルトを螺着することを特徴とする、ファスナーである。
【０００６】
ここで、ブラケットは、接続プレートに貫通した固定部と、拡底部とアーム部を滑らかに結んで躯体側に突出した支持部とより構成し、前記拡底部は、断面形状が固定部側からアーム部側へ小さくなり、前記アームの先端部には、鉛直方向の螺子孔を穿設したことを特徴とする。
【０００７】
【実施例】
以下図面を参照しながら、本発明のファスナーの実施例について説明する。
【０００８】
＜イ＞接続プレート
接続プレート１は、図１に示すように、上階ＰＣ外壁Ｐの荷重を下階ＰＣ外壁Ｑと建物躯体側の鉄骨梁Ｒに伝達するための鋼製の部材であり、上下階の外壁Ｐ、Ｑ間を跨いで配設する。上記接続プレートの上半部には、上端縁を開放する溝部１１を設け、この溝部１１には、下記連結ボルト５を遊挿する。更に、上記溝部１１の下方には、押しボルト７を螺装してある。この押しボルト７を、上階ＰＣ外壁Ｐに定着した鋼板８に当接することによって、上階ＰＣ外壁Ｐの建入れを調整する。
【０００９】
一方、上階ＰＣ外壁Ｐの下部には、図１と図２に示すように、該ＰＣ外壁Ｐの製作時に、連結ボルト５を定着してある。この連結ボルト５の突出端部が上記接続プレート１の溝部１１に遊挿され、調整座金Ａと座金Ｂを介して、ナット６で螺着緊締されるようになっている。
【００１０】
上記調整座金Ａには、ロッキング方式に対応する場合は縦長に、スウェイ方式に対応するときは横長に、上記連結ボルト５に遊嵌できる溝孔を形成してある。また、上記調整座金Ａと座金Ｂとの間には、滑り材を介装してある。
【００１１】
＜ロ＞定着板
上記接続プレート１の下半部の外壁側には、図３に示すように、所定間隔をおいて、ＰＣ外壁Ｑの壁厚さ方向に平行する２枚の鋼製の定着板２を溶接等により固着する。
前記各定着板２には、横方向のかんざし筋９の挿通孔２１が設けられる。さらに、各定着板２は、縦方向のひげ筋１０と溶接等により固着している（図１、図２及び図３）。
そして、上記各定着板２は、上記かんざし筋９と、ひげ筋１０ともに、下階ＰＣ外壁Ｑの上部に埋設定着するようになっている。
【００１２】
＜ハ＞ブラケット
上記接続プレート１の下半部の躯体側には、ブラケット３を固定してある。このブラケット３は、上下階外壁の荷重を、後述支持ボルト４を介して躯体側に伝達するための鍛造の支持金物である。
上記ブラケット３は、一体に成型したものであり、基本的に接続プレート１に貫通した固定部３１と、拡底部３２ａとアーム部３２ｂを滑らかに結んで躯体側に突出した支持部３２とより構成する（図４）。
図示の例では、拡底部３２ａは、断面形状が固定部側からアーム部側へ連続的に小さくなっている。
一方、アーム部３２ｂは、略ブロック状になっているが、図３と図４のように、両側面が躯体側に向けてテーパー状に拡がるとともに、円弧状の端面と滑らかに結合して形成する。さらに、アーム部３２ｂの先端部には、鉛直方向の螺子孔３３が穿設されている。
なお、上記ブラケット３は、接続プレート１に、上記固定部３１をブラケット挿入孔１２に貫通して拡底部３２ａともに溶接固着することで、接続プレート１と一体化になっている。
【００１３】
＜ニ＞支持ボルト
上記螺子孔３３には、上記ＰＣ外壁の荷重を受け、建物躯体側の鉄骨梁Ｒに伝達するための支持ボルト４を螺着してある。前記支持ボルト４の下端は、取付座板Ｃと調整溝型鋼Ｄを通して、鉄骨梁Ｒの上部フランジに載置されている。また、上記支持ボルト４の上端には、回転調整ナットを取付け、この回転調整ナットを回すことにより、ブラケット３に螺着する支持ボルト４を回転して、鉄骨梁Ｒに対する上記ＰＣ外壁の高さを調整できる。
【００１４】
上記調整溝型鋼Ｄは、上記鉄骨梁Ｒに下向きにして溶接で固着しており、その底面の中央には、図３のように、ルーズホールＤ１を穿設してある。このルーズホールＤ１の寸法は、層間変位に追従できる必要な長さ以上になるように決めておく。
一方、取付座板Ｃには、上記支持ボルト４の外径とほぼ同一寸法の貫通孔を穿設してある。この取付座板Ｃを介して、前記ボルト４の位置決めと仮止めとを行う。
【００１５】
本発明のロッキング方式によるＰＣ外壁の取付けは、上記取付座板Ｃを装着することなく、或いは、取付座板Ｃの貫通孔には、支持ボルト４を上下動させる程度のクリアランスをとっておく。
また、上階ＰＣ外壁Ｐの連結ボルト５を接続プレート１の拡幅された溝部１１に遊嵌し、調整座金Ａの溝孔Ａ１を垂直方向にして連結ボルト５に遊挿し、座金Ｂ及び滑り材を嵌装し、ナット６を螺着緊締する。
従って、外壁Ｐ、Ｑと鉄骨梁Ｒの支持ボルト４との間、及び外壁Ｐと接続プレート１との間において、上下方向の相対移動が許容され、地震時の建物挙動に対してＰＣ外壁は損傷を受けることがない。
【００１６】
一方、本発明のスウェイ方式によるＰＣ外壁の取付けは、前記取付座板Ｃを装着することなく、前記支持ボルト４を調整溝型鋼ＤのルーズホールＤ１に遊嵌して、水平方向にフリーの状態にする。また、上階ＰＣ外壁Ｐの連結ボルト５を接続プレート１の拡幅された溝部１１に遊嵌し、調整座金Ａの溝孔Ａ１を水平方向にして連結ボルト５に遊挿し、座金Ｂ及び滑り材を嵌装し、ナット６を螺着緊締する。従って、前記ボルト４を介して鉄骨梁Ｒに接合された下階ＰＣ外壁Ｑ、及び連結ボルト５が接続プレート１に遊挿された上階ＰＣ外壁Ｐの水平方向の相対移動が許容され、地震時の建物挙動に対してＰＣ外壁は損傷を受けることがない。
【００１７】
以下に、本発明のファスナを使用したＰＣ外壁の取付け方法について説明する。
【００１８】
＜イ＞下階ＰＣ外壁の取付け
上記外壁Ｐ、Ｑを取付けるためには、先ず躯体の鉄骨梁Ｒの上面に調整溝型鋼Ｄを下向きにして溶接により固着し、その中央部にルーズホールを穿設しておく。
そして、必要に応じて、調整溝型鋼Ｄの上面に座金板Ｃを載置する。
【００１９】
次に、本発明のファスナーを装備した下階ＰＣ外壁Ｑをクレーンなどで吊り上げ、その支持ボルト４を上記ルーズホールＤ１内に挿入させて載置する。この際、水平面において、ＰＣ外壁Ｑの位置調整を行った後に、前記取付座板Ｃを前記調整溝型鋼Ｄに溶接固着する、或いは仮止めする。さらに、ブラケット３に螺着する支持ボルト４を回転することにより、鉄骨梁Ｒに対する上下位置を調整する。そして、下階ＰＣ外壁Ｑの取付けは完了する。前記ファスナーのブラケット３に螺着する支持ボルト４を、調整溝型鋼ＤのルーズホールＤ１に容易に挿入し、取付座板Ｃによって案内できるので、上記取り付けのための手間がかからず、作業能率を向上させることができる。
【００２０】
＜ロ＞上下階ＰＣ外壁の連結
次、クレーンなどにより上階ＰＣ外壁Ｐを下階ＰＣ外壁Ｑの上方に吊り込む。続いて、上階ＰＣ外壁Ｐの連結ボルト５を接続プレート１の溝部１１に遊嵌させる。この際、押しボルト７を螺着しているので、上階の外壁Ｐと接続プレート１との間の接触又は衝突を回避できる。
吊り上げたまま、連結ボルト５に調整座金Ａを遊挿し、位置調整をした後、座金Ｂ及び滑り材を嵌装し、ナット６を螺合する。そして、上下階のＰＣ外壁の連結は完了する。
上記ＰＣ外壁内に予め定着した連結ボルト５を、先述した支持ボルト４と同様に、接続プレート１の溝部１１に容易に遊挿入できるので、上記連結に必要な作業時間が短く、連結作業が効率よく行える。
【００２１】
なお、上記実施形態において示した各構成部材の材質、諸形状や寸法等は一例であって、設計要求等に基づき種々変更可能である。また、前記実施形態のＰＣ外壁は、上下階の梁間に設置するいわゆるパネルタイプの外壁について説明したが、各階の梁に直接設置するスパンドレルタイプの場合にも適用可能である。
【００２２】
【本発明の効果】
本発明のファスナーは以上説明したようになるから、次のような効果を得ることができる。
＜イ＞定着板を接続プレートの外壁側に埋設定着すると同時に、固定部と支持部を備えて一体に成型したブラケットを前記接続プレートの躯体側に溶接固着することによって、接続プレートの定着力を高めるとともに、前記ブラケットを面内水平力及び鉛直力に有効に対抗させることができる。また、前記アーム部の先端部に穿設した螺子孔に支持ボルトを螺着し、その下端を建物躯体側の鉄骨梁の上面に当接支持させることによって、過大な曲げモーメントが作用することなく、かつ、確実に外壁の荷重を支持ボルトに伝達させることができる。従って、本発明のファスナーは、高い支持強度を有し、版自重が４ｔ以上である大型外壁に適用することが可能となる。
【００２３】
＜ロ＞外壁の取付け時に、調整溝型鋼のルーズホールに、一体に成型したブラケットの先端部に螺着したボルトを遊嵌することによって、外壁が外側へ倒れるのを防止でき、落下等の危険性がなくなる。また、ファスナー本体と支持ボルトが一体となっているので、外壁の位置決め、微調整が容易で、取付作業が効率よく行える。
【図面の簡単な説明】
【図１】本発明に係るファスナーの使用状態を示す側面図
【図２】図１の正面図
【図３】図１の平面図
【図４】本発明に係るブラケットの概略斜視図
【図５】従来のファスナーの使用状態を示す側面図
【図６】（ａ）図５の正面図（ｂ）図５の平面図
【符号の説明】
１      接続プレート
１１    溝部
１２    ブラケット挿入孔
２      定着板
２１    かんざし筋挿入穴孔
３      ブラケット
３１    固定部
３２    支持部
３２ａ  拡底部
３２ｂ  アーム部
３３    螺子孔
４      支持ボルト
５      連結ボルト
６      ナット
７      押しボルト
８      鋼板
９      かんざし筋
１０    ひげ筋
Ａ      調整座金
Ｂ      座金
Ｃ      取付座板
Ｄ      調整溝型鋼
Ｐ      上階ＰＣ外壁
Ｑ      下階ＰＣ外壁
Ｒ      鉄骨梁
【図１】
0004338115.tif 000002
【図２】
0004338115.tif 000003
【図３】
0004338115.tif 000004
【図４】
0004338115.tif 000005
【図５】
0004338115.tif 000006
【図６】
0004338115.tif 000007